(57)【要約】【課題】周辺部での作業をしやすくすることができ、しかも配線の省スペース化が可能な光コンセントを提供する。【解決手段】光ファイバ２が引き込まれる取付ユニット１と、光ファイバ２をコネクタ接続可能に成端する成端用光コネクタ３０を収納するコネクタ収納ケース５とを備えた光コンセント２０。取付ユニット１は、光ファイバ２を収納する光ファイバ収納部６と、光ファイバ収納部６内の光ファイバ２を取付壁４の前面４ａ側に導く光ファイバ通過口７ａ、１０ｅが形成された取付ベース８とを有する。コネクタ収納ケース５は、取付ベース８の前面側に回動自在に取り付けられている。【選択図】図１
2008281751.tif 000002
【特許請求の範囲】
【請求項１】
取付壁（４）の前面（４ａ）より奥側に配線された光ファイバ（２）をコネクタ接続可能とする光コンセントであって、
前記光ファイバが引き込まれる取付ユニット（１）と、前記光ファイバをコネクタ接続可能に成端する成端用光コネクタ（３０）を収納するコネクタ収納ケース（５）とを備え、
前記取付ユニットは、前記取付壁の前面より奥側に設けられて前記光ファイバを収納する光ファイバ収納部（６）と、前記光ファイバ収納部内の光ファイバを前記取付壁の前面側に導く光ファイバ通過口（７ａ、１０ｅ）が形成された取付ベース（８）とを有し、
前記コネクタ収納ケースは、前記取付ベースの前面側に回動自在に取り付けられていることを特徴とする光コンセント（２０）。
【請求項２】
前記コネクタ収納ケースは、前記取付ベースに回動自在に取り付けられる一端部とは逆の他端部に、前記成端用光コネクタに接続される別の光コネクタ（１８）が挿入される挿入口（１６ａ）が形成され、
前記一端部が上、かつ前記他端部が下になる向きに取り付けられていることを特徴とする請求項１に記載の光コンセント。
【請求項３】
前記取付ベースは、取付枠（７）と、前記コネクタ収納ケースが回動自在に取り付けられるケースホルダ（１０）とを有し、
前記取付枠に対する前記ケースホルダの取り付け位置が変更可能であることを特徴とする請求項１に記載の光コンセント。
【請求項４】
前記成端用光コネクタは、フェルール（３１）と、前記フェルールに内挿固定された内蔵光ファイバ（３８）を、前記取付壁の前面側に導かれた光ファイバに突き合わせ接続させる接続機構（３２）とを備え、
前記成端用光コネクタには、前記取付壁の前面側に導かれた光ファイバを前記成端用光コネクタに引き留める引留部品（３）を取付け可能であることを特徴とする請求項１に記載の光コンセント。
【請求項５】
前記取付壁の前面側に導かれた光ファイバは、扁平な形状の光ファイバケーブルであり、
前記光ファイバケーブルの断面長手方向が、前記コネクタ収納ケースの回動軸に沿う方向に揃えられていることを特徴とする請求項４に記載の光コンセント。
【請求項６】
前記成端用光コネクタは、光コネクタアダプタ（１７）を介して、別の光コネクタ（１８）に接続可能であることを特徴とする請求項１に記載の光コンセント。
【請求項７】
前記取付枠には、メタル線接続用のチップ（５１）が取付け可能であることを特徴とする請求項３に記載の光コンセント。
【発明の詳細な説明】
【技術分野】
【０００１】
本発明は、光コネクタ用アウトレットなどの光コンセントに関する。
【背景技術】
【０００２】
建物の壁等に設けられる光アウトレット等の光コンセントは、壁に光コネクタアダプタを組み込み、プラグを前面側（室内側）から前記アダプタに差し込んで接続する構造が一般的である。
プラグをアダプタに接続する構造としては、プラグを壁に垂直な方向からアダプタに差し込む構造もあるが（例えば特許文献１を参照）、プラグを下方からアダプタに差し込むものが広く用いられている（例えば特許文献２を参照）。
プラグが下方からアダプタに接続される構造は、プラグが壁に垂直に接続される構造に比べて、プラグの壁からの突出寸法を抑えることができるなどの利点がある。
しかしながら、この構造の光コンセントは、アダプタに接続したプラグが下方に突出するうえ、プラグ後端から延びる光ファイバが、光コンセントの下方で引き回されるため、光コンセントの下方における作業（例えば、壁紙貼り、光ファイバ配線等）の支障になるといった不都合があった。
特許文献３には、壁面に取り付けられるベースと、第１および第２カバー部材からなるカバーとを備え、第２カバー部材が回動可能とされた光コンセントが開示されている。
この構造の光コンセントでは、光ファイバが第１カバー部材を経て第２カバー部材に導入されるため、配線の省スペース化が難しいという問題があった。
【特許文献１】特開平７−３３５３４７号公報
【特許文献２】実開平５−９０８４０号公報
【特許文献３】特開２００６−３２３２９０号公報
【発明の開示】
【発明が解決しようとする課題】
【０００３】
本発明は、上述した従来技術の問題点に鑑みてなされたもので、周辺での作業をしやすくすることができ、しかも配線の省スペース化が可能な光コンセントを提供することを目的としている。
【課題を解決するための手段】
【０００４】
本発明の請求項１にかかる光コンセントは、取付壁の前面より奥側に配線された光ファイバをコネクタ接続可能とする光コンセントであって、前記光ファイバが引き込まれる取付ユニットと、前記光ファイバをコネクタ接続可能に成端する成端用光コネクタを収納するコネクタ収納ケースとを備え、前記取付ユニットは、前記取付壁の前面より奥側に設けられて前記光ファイバを収納する光ファイバ収納部と、前記光ファイバ収納部内の光ファイバを前記取付壁の前面側に導く光ファイバ通過口が形成された取付ベースとを有し、前記コネクタ収納ケースは、前記取付ベースの前面側に回動自在に取り付けられていることを特徴とする。
本発明の請求項２にかかる光コンセントは、請求項１において、前記コネクタ収納ケースは、前記取付ベースに回動自在に取り付けられる一端部とは逆の他端部に、前記成端用光コネクタに接続される別の光コネクタが挿入される挿入口が形成され、前記一端部が上、かつ前記他端部が下になる向きに取り付けられていることを特徴とする。
本発明の請求項３にかかる光コンセントは、請求項１において、前記取付ベースは、取付枠と、前記コネクタ収納ケースが回動自在に取り付けられるケースホルダとを有し、前記取付枠に対する前記ケースホルダの取り付け位置が変更可能であることを特徴とする。
本発明の請求項４にかかる光コンセントは、請求項１において、前記成端用光コネクタは、フェルールと、前記フェルールに内挿固定された内蔵光ファイバを、前記取付壁の前面側に導かれた光ファイバに突き合わせ接続させる接続機構とを備え、前記成端用光コネクタには、前記取付壁の前面側に導かれた光ファイバを前記成端用光コネクタに引き留める引留部品を取付け可能であることを特徴とする。
本発明の請求項５にかかる光コンセントは、請求項４において、前記取付壁の前面側に導かれた光ファイバは、扁平な形状の光ファイバケーブルであり、前記光ファイバケーブルの断面長手方向が、前記コネクタ収納ケースの回動軸に沿う方向に揃えられていることを特徴とする。
本発明の請求項６にかかる光コンセントは、請求項１において、前記成端用光コネクタは、光コネクタアダプタを介して、別の光コネクタに接続可能であることを特徴とする。
本発明の請求項７にかかる光コンセントは、請求項３において、前記取付枠には、メタル線接続用のチップが取付け可能であることを特徴とする。
【発明の効果】
【０００５】
本発明の光コンセントは、成端用光コネクタを収納するコネクタ収納ケースが取付ベースに回動可能に取り付けられているため、必要に応じてコネクタ収納ケースを回動させ、成端用光コネクタに接続された光ファイバを移動させることができる。
よって、光コンセントの周辺に十分な作業スペースを確保し、配線や壁紙貼りなどの作業を容易にすることができる。
また、本発明の光コンセントでは、光ファイバ通過口を有する取付ベースを備えているので、光ファイバ通過口を通して、光ファイバをコネクタ収納ケースに直接導入することができる。このため、光ファイバの配線の省スペース化が可能となり、他の配線のためのスペースを確保でき、例えば電話線などのメタル線が併用可能となる。
【発明を実施するための最良の形態】
【０００６】
以下、本発明の実施の形態を、図面を参照して説明する。
図１は、本発明に係る光コンセントの第１の実施形態の構造の概要を示す断面図である。図２は、図１に示す光コンセント２０の外観を示す図であって、（ａ）は上面図、（ｂ）は正面図、（ｃ）は下面図、（ｄ）は一部断面状態の側面図である。図３は、コネクタ収納ケース５のカバー１６を外した状態を示す正面図である。図４は、取付枠７および取付ベース８を示す正面図である。図５は、ケースホルダ１０を示す斜視図である。図６は、ブランクチップ１４を示す斜視図である。図７は、コネクタ収納ケース５を回動させた状態を示す側面図である。図８は、インドアケーブルの一例を示す断面図である。図７は、ドロップケーブルの一例を示す断面図である。
以下の説明において、図１における左方を前方といい、右方を後方ということがある。また、上下は、図１における上下をいう。
【０００７】
図１に示すように、この実施形態の光コンセント２０は、建物等の壁４（取付壁）の後面４ｂ側に配線された光ファイバ２を、前面４ａ側（室内側）の光ファイバ１３とコネクタ接続できるようにする光アウトレットである。
光コンセント２０は、壁４に取り付けられた取付ユニット１と、光ファイバ２の先端に設けられた成端用光コネクタ３０を収納するコネクタ収納ケース５とを備えている。
【０００８】
取付ユニット１は、光ファイバ２が引き込まれる光ファイバ収納部６と、取付ベース８とを備えている。
光ファイバ収納部６は、室内側が開口した箱状とされ、光ファイバ２の余長２ａを収納できるように形成するのが好ましい。
光ファイバ収納部６は、壁４の後面４ｂ側に設けられている。なお、光ファイバ収納部６の設置位置は、前面４ａより奥側であればよく、例えば壁４の内部に形成してもよい。符号４ｃは壁４に形成された開口部であり、この開口部４ｃを通して光ファイバ２は壁４の前面４ａ側に導かれている。
なお、発明における取付壁は、建物の壁に限定されず、例えば、建物の柱、天井、床であってもよいし、光配線盤、パーティションなどであってもよい。
【０００９】
図１に示すように、取付ベース８は、壁４に取り付けられる取付枠７と、取付枠７に取り付けられるケースホルダ１０とを有する。
図１および図４に示すように、取付枠７は、略矩形の板状に形成され、略中央には、光ファイバ２が通過可能な長方形状の光ファイバ通過口７ａが形成されている。
光ファイバ通過口７ａは、チップ等を取り付け可能に形成することができる。図示例の光ファイバ通過口７ａは、チップ等を取り付け可能な３つの取付部を有し、これらを上から下にかけて第１〜第３取付部７ｂ〜７ｄと呼ぶ（図４を参照）。
図１に示すように、取付枠７は、ボルトなどの固定具７ｅによって壁４の前面に取り付けることができる。
図４に示すように、取付枠７は、光ファイバ通過口７ａが形成された内枠７Ａと、その外側に設けられた外枠７Ｂとから構成されていてもよい。内枠７Ａと外枠７Ｂはネジ止め等により互いに固定することができる。
【００１０】
図１および図５に示すように、ケースホルダ１０は、略矩形状の前板１０ａと、前板１０ａの上縁および下縁から後方に延びる上板１０ｂ１および下板１０ｂ２と、前板１０ａの側縁から後方に延びる側板１０ｂ３、１０ｂ３とを有する直方体状とされている。
前板１０ａの上部には、光ファイバ２が通過可能な光ファイバ通過口１０ｅが形成されている。
ケースホルダ１０は、取付枠７の光ファイバ通過口７ａ内に設けられている。
【００１１】
図１および図４に示すように、図示例のケースホルダ１０は、取付枠７の３つの取付部７ｂ〜７ｄのうち２つに相当する形状となっている。すなわち、ケースホルダ１０は、第１および第２取付部７ｂ、７ｃに即した形状となっており、これら取付部７ｂ、７ｃに設けられている。
ケースホルダ１０は、光ファイバ通過口７ａの３つの取付部７ｂ〜７ｄのうち２つ分に相当する大きさであるため、その位置を変えることができる。図示例では、ケースホルダ１０は第１および第２取付部７ｂ、７ｃに取り付けられているが、後述するように、第２および第３取付部７ｃ、７ｄに取り付けることもできる。
光ファイバ通過口７ａの第３取付部７ｄには、ブランクチップ１４が嵌め込まれている（図６を参照）。
【００１２】
図１、図５および図７に示すように、前板１０ａの上部の前面には、コネクタ収納ケース５が回動する際の支点となる回動支持部１０ｃが形成されている。
回動支持部１０ｃは、コネクタ収納ケース５を回動可能に支持するものであればよく、例えば、軸、ブラケットなどが採用できる。図示例では、コネクタ収納ケース５に形成された回動軸（図示略）を支持する板状の支持部である。コネクタ収納ケース５の回動軸は、図１において紙面に対し垂直な方向に沿う。
図１、図２（ｂ）、図５および図７に示すように、前板１０ａの前面には、コネクタ収納ケース５の回動を制限するストッパ１０ｄが形成されている。ストッパ１０ｄは、前板１０ａの前面から前方に板状に突出して形成されている。ストッパ１０ｄは、回動支持部１０ｃより高い位置に形成されており、コネクタ収納ケース５が前方（図１の時計回り方向）に回動した位置（図１に仮想線で示す前方回動位置）において当接するようになっている。
【００１３】
図１に示すように、取付枠７の前面側には、取付枠７を覆うように、外装プレート９が設けられている。
図４に示すように、外装プレート９は、略矩形の板状に形成され、略中央には、光ファイバ２が通過可能な長方形状の光ファイバ通過口９ａが形成されている。
図示例の光ファイバ通過口９ａは、取付枠７の光ファイバ通過口７ａと同様に、上から下にかけて、チップ等を取り付け可能な第１〜第３取付部９ｂ〜９ｄに区画できる。
【００１４】
コネクタ収納ケース５は、ベース１５と、ベース１５に被せられるカバー１６とを備えている。
図１および図３に示すように、ベース１５は、略長方形の板状とされており、上端部（一端部）が、ケースホルダ１０の回動支持部１０ｃに回動自在に取り付けられ、この上端部を支点として回動するようになっている。
ベース１５の上部には、光ファイバ２をコネクタ収納ケース５内に導入する導入口１５ａが形成されている。
ベース１５の後面には、ケースホルダ１０の前板１０ａに形成された嵌合穴１０ｆに嵌合して係脱可能に係止する嵌合突起（図示略）が形成されている。
【００１５】
カバー１６は、成端用光コネクタ３０を収容可能に形成されている。
カバー１６の下端部（他端部）には、成端用光コネクタ３０に接続される光ファイバ１３が挿入される挿入口１６ａが形成されている。図１に示すように、挿入口１６ａは、下方に向けて開口するように形成されている。
カバー１６の下端部には、挿入口１６ａを開閉する蓋１６ｂが形成されている。蓋１６ｂは、挿入口１６ａの周縁部にヒンジ結合されている。
コネクタ収納ケース５は、ケースホルダ１０の光ファイバ通過口１０ｅを覆うように設けるのが好ましい。
【００１６】
図１および図７に示すように、コネクタ収納ケース５は、上端部の回動軸（図示略）を支点として、下端部が取付ベース８に対し接近および離間する方向に回動可能であり、図１に実線で示すように、成端用光コネクタ３０が壁４に沿う方向（上下方向）を向く通常位置から、図１に仮想線で示す前方回動位置まで回動可能となっている。
通常位置では、コネクタ収納ケース５のベース１５は、壁４の前面４ａにほぼ平行である。
図７に示すように、通常位置から前方回動位置までのコネクタ収納ケース５の回動角度αは９０度未満が好ましい。
【００１７】
光ファイバ２としては、例えば、いわゆるインドアケーブル（屋内配線用光ファイバケーブル）を採用することができる。
光ファイバ収納部６に引き込まれる光ファイバ２としては、インドアケーブルに限定されず、インドアケーブル以外の各種光ファイバケーブル（例えばドロップケーブル）、光ファイバ心線、光ファイバ素線等、各種採用可能である。光ファイバ２としては、単心の光ファイバに限らず、多心の光ファイバも可能である。
【００１８】
図８は、インドアケーブルの一例の断面構造を示すもので、インドアケーブル１１は、光ファイバ１１ａとその両側に配置した抗張力体１１ｂを被覆樹脂１１ｃで一括被覆して断面略矩形状に形成したものである。符号１１ｄはノッチである。被覆樹脂１１ｃは、ノッチ１１ｄで２つに分割することで光ファイバ１１ａを露出させることができる。
図９は、光ドロップケーブルの一例の断面構造を示すもので、光ドロップケーブル１２は、断面略矩形状の光ファイバエレメント部１２ｄと、この光ファイバエレメント部１２ｄの側部に添えられた金属線１２ｅを被覆樹脂１２ｃによって被覆した支持線部１２ｆとを備えている。光ファイバエレメント部１２ｄは、光ファイバ１２ａとその両側に配置した抗張力体１２ｂとを被覆樹脂１２ｃで一括被覆したものであり、インドアケーブル１１とほぼ同様の構成である。被覆樹脂１２ｃは、ノッチ１２ｈで２つに分割することで光ファイバ１２ａを露出させることができる。
光ファイバエレメント部１２ｄと支持線部１２ｆとの間は、被覆樹脂１２ｃの薄肉部１２ｇを介して繋がっており、薄肉部１２ｇを切り裂くように切断することで、支持線部１２ｆを光ファイバエレメント部１２ｄから分離できる。
光ファイバ１１ａ、１２ａは、ここでは光ファイバ素線であるが、単心の光ファイバ心線、多心の光ファイバテープ心線などであってよい。
インドアケーブル１１および光ドロップケーブル１２は、幅が高さより大きくされている。すなわち扁平な形状の光ファイバケーブルである。
【００１９】
図示例では、光ファイバ２は、壁４の後面４ｂ側に配線されているが、本発明の対象となる光ファイバは、壁４の前面４ａより奥側に配線されているもの、例えば壁４の内部に配線されているものを含む。
【００２０】
次に、コネクタ収納ケース５内に設けられる成端用光コネクタ３０の構成について説明する。図１０は、成端用光コネクタ３０を示す断面図である。図１１は、成端用光コネクタ３０のクランプ部付きフェルール３７を示す斜視図である。図１２は、成端用光コネクタ３０のクランプ部付きフェルール３７のクランプ部３２を構成する各素子の合わせ面を示す図である。図１３は、成端用光コネクタ３０のクランプ部付きフェルール３７を示す断面図である。図１４は、成端用光コネクタ３０に取り付けられる引留部品３の構造を示す断面図である。図１５は、成端用光コネクタ３０への引留部品３の組み込み、引き留め作業を説明する工程図である。
以下の説明において、図１０における左方を前方といい、右方を後方ということがある。
【００２１】
成端用光コネクタ３０は、いわゆる現場付け光コネクタであり、光ファイバ２をコネクタ接続可能に成端するものである。
図１に示すように、光ファイバ収納部６に引き込まれた光ファイバ２は、壁４の開口部４ｃ、光ファイバ通過口７ａ、１０ｅを通して壁４の前面４ａ側に導かれ、コネクタ収納ケース５に導入され、この光ファイバ２の先端に成端用光コネクタ３０が取り付けられている。
【００２２】
図１０に示すように、光コネクタ３０は、クランプ部付きフェルール３７をハウジング３３（プラグハウジング）内に収納してなるコネクタ本体３４と、ハウジング３３に前後動可能に設けられコネクタ本体３４の後端側に引き出すことができる可動受け片３５と、引留部品３をコネクタ本体３４の後端に引き留める引き留めカバー３６とを具備する。
【００２３】
クランプ部付きフェルール３７は、フェルール３１と、その後端側（接続端面３１ａとは反対の側）に設けられたクランプ部３２（接続機構）を備えており、フェルール３１の接続端面３１ａが前、クランプ部３２が後、となる向きでハウジング３３に収納される。
図１２、図１３に示すように、クランプ部３２は、スリーブ状のバネ３２２内に一対の半割り素子３１ｃ、３２１を収納した構造になっている。
クランプ部３２の一対の素子３１ｃ、３２１間には、フェルール３１に予め内挿固定された光ファイバ３８（以下、内蔵光ファイバ）のフェルール３１後端から突出された突出部３８ａが挿入されている。
【００２４】
クランプ部３２の一対の素子３１ｃ、３２１間に、介挿部材付き工具４０の介挿部材４１を割り込ませた状態では、バネ３２２の弾性に抗して一対の素子３１ｃ、３２１間が僅かに押し拡げられ、コネクタ本体３４に後端側から挿入した光ファイバ２０１（詳細には、光ファイバ２０１先端に口出ししておいた裸光ファイバ２０１ａの先端）を、クランプ部３２の一対の素子３１ｃ、３２１間にて、前記内蔵光ファイバ３８の突出部３８ａの後端に突き合わせ接続できる。
【００２５】
図１０に示すように、光ファイバ３８、２０１ａ同士の突き合わせ状態を保ったまま、クランプ部３２の一対の素子３１ｃ、３２１間から、介挿部材付き工具４０の介挿部材４１を引き抜くことで、バネ３２２の弾性によって一対の素子３１ｃ、３２１間に光ファイバ３８、２０１ａが突き合わせ状態のまま挟み込まれて固定され、光ファイバ３８、２０１ａ同士の突き合わせ状態を安定に維持できる。
光ファイバ２０１は、光ファイバケーブルである光ファイバ２から口出しされた光ファイバ心線、光ファイバ素線等である。
【００２６】
図１２、図１３に示すように、クランプ部３２は、具体的には、フェルール３１のフランジ部３１ｂから延びる延出部３１ｃと、この延出部３１ｃの合わせ面３２４ａに面して配置された蓋側素子３２１ａ、３２１ｂとを、断面Ｃ形のスリーブ状のバネ３２２（Ｃ形バネ）の内側に収容した構造になっている。延出部３１ｃは、クランプ部３２を構成する半割りの素子の一方（以下、素子３１ｃと称する場合もある）を構成し、二つの蓋側素子３２１ａ、３２１ｂは、クランプ部３２を構成する半割りの素子の他方（素子３２１）を構成している。
クランプ部３２は、一対の半割り素子３１ｃ、３２１の間で、光ファイバをクランプする構造になっている。
二つの蓋側素子３２１ａ、３２１ｂは、一方（素子３２１ａ）が他方（素子３２１ｂ）よりもフェルール３１側となるようにして、光コネクタ３０の前後方向に配列されている。
【００２７】
図１１、図１３に示すように、バネ３２２は、該バネ３２２の軸方向中央部に形成されたスリット３２２ａによって分割されている。スリット３２２ａは、二つの蓋側素子３２１ａ、３２１ｂの間の境界付近に位置合わせされているため、バネ３２２のスリット３２２ａを介して軸方向両側の各部分は、該バネ３２２の弾性を二つの蓋側素子３２１ａ、３２１ｂに別個に作用させる独立したバネとして機能するようになっている。このため、一方の蓋側素子３２１ａと延出部３１ｃの組、他方の蓋側素子３２１ｂと延出部３１ｃの組は、それぞれ、独立のクランプ部としても機能し得る。
なお、バネ３２２の形状は図示例に限らず、他の形状、例えば断面コ字形などが採用できる。
【００２８】
図１２、図１３に示すように、フェルール３１に内挿固定されている内蔵光ファイバ３８のフェルール後端から突出された部分である突出部３８ａは、クランプ部３２の一対の素子３１ｃ、３２１の間に挿入されており、クランプ部３２の一対の素子３１ｃ、３２１の一方又は両方の合わせ面（ここでは、素子３１ｃの合わせ面３２４ａのみ）に形成されている調心溝３２３に収納されて精密に位置決め調心される。
前記調心溝３２３の断面形状は、Ｖ字状、Ｕ字状、半円形等、各種構成が採用可能である。
【００２９】
図示例のクランプ部付きフェルール３７のフェルール３１は、例えば、ＳＣ形光コネクタ（ＪＩＳ  Ｃ  ５９７３に制定されるＦ０４形光コネクタ。ＳＣ：Single fiber Coupling optical fiber connector）、ＭＵ形光コネクタ（ＪＩＳ  Ｃ  ５９８３に制定されるＦ１４形光コネクタ。ＭＵ:Miniature-unit Coupling optical fiber connector）等にて採用されているものと同様の、キャピラリタイプの単心用フェルールである。フェルール３１の材質は、例えば、ジルコニアセラミック、ガラス、ステンレス等を採用できる。フェルール３１は、微細孔３１ｅが貫通されたスリーブ（円筒状）であり、内蔵光ファイバ３８は前記微細孔３１ｅに内挿されて、接着剤による接着等によって固定される。また、内蔵光ファイバ３８は、先端（前端）の位置が、フェルール３１の接続端面３１ａに揃えられている。
光ファイバ３８（内蔵光ファイバ）としては、例えば石英系光ファイバが採用される。
光ファイバ２０１の裸光ファイバ２０１ａとしても、石英系光ファイバ等が採用される。
【００３０】
図１２、図１３に示すように、クランプ部３２には、該クランプ部３２の後端部から一対の素子３１ｃ、３２１の間に挿入される光ファイバ２０１の先端を調心溝３２３に導く溝３２５ａ、３２５ｂが形成されている。前記溝３２５ａ、３２５ｂは、調心溝３２３よりもクランプ部３２の後端側にずれた位置にて、クランプ部３２の一対の素子３１ｃ、３２１の一方又は両方の合わせ面に形成されている。この溝３２５ａ、３２５ｂは、クランプ部３２の後端部に開口する開口部３２５ｃを有し、この開口部３２５ｃから、フェルール３１に向かって延在するように形成されている。
【００３１】
この溝３２５ａ、３２５ｂは、調心溝３２３よりも幅広（溝幅が大きい）に形成された断面Ｖ字状、断面Ｕ字状などの細溝であり、溝３２５ａ、３２５ｂのフェルール３１側の端部（前端部）は、調心溝３２３側に行くほど次第に溝幅が狭くなるテーパ状に形成され、調心溝３２３と連通されている。
図示例の光コネクタ３０では、溝３２５ａ、３２５ｂは、素子３１ｃの合わせ面３２４ａと、素子３２１ｂの合わせ面３２４ｂの両方に、一対の素子３１ｃ、３２１の間でちょうど対面する位置に形成されている。
【００３２】
光コネクタ３０には、クランプ部３２を構成する二つ割りの素子３１ｃ、３２１間に割り込ませた薄板状の介挿部材４１を備えた介挿部材付き工具４０が組み付けられている。
以下、介挿部材付き工具４０を組み付けた光コネクタ３０を、工具付き光コネクタ３０Ａと称する。
【００３３】
クランプ部３２は、介挿部材４１を素子３１ｃ、３２１間に割り込ませて、バネ３２２の弾性に抗してクランプ部３２の一対の素子３１ｃ、３２１間を押し広げておくことで、光ファイバ２０１の裸光ファイバ２０１ａを、ハウジング３３（詳細にはストップリング３３１）の後端部の開口部である光ファイバ挿入孔３３１ａを介して、クランプ部３２の後端部に開口する開口部３２５ｃ（溝３２５ａ、３２５ｂの開口部）から、溝３２５ａ、３２５ｂに押し込むことができる。
裸光ファイバ２０１ａをさらに押し込むことによって、溝３２５ａ、３２５ｂから調心溝３２３に押し込んで、内蔵光ファイバ３８と突き合わせ接続することができる。内蔵光ファイバ３８は、調心溝３２３のフェルール３１側の端部から長手方向中央部までの範囲に収納されており、光ファイバ２０１先端の裸光ファイバ２０１ａは、調心溝３２３に挿入されることで、調心溝３２３に誘導されるようにして、内蔵光ファイバ３８（詳細には突出部３８ａの先端）に対して突き合わせ接続させることができる。
【００３４】
裸光ファイバ２０１ａと内蔵光ファイバ３８との突き合わせ状態を保ったまま、素子３１ｃ、３２１間に介挿されている介挿部材４１を素子３１ｃ、３２１間から引き抜くと、バネ３２２の弾性によって素子３１ｃ、３２１間が閉じられ、一対の素子３１ｃ、３２１間に、内蔵光ファイバ３８と光ファイバ２０１とがクランプ固定される。
これにより、光ファイバ２０１先端の裸光ファイバ２０１ａと内蔵光ファイバ３８とが、調心溝３２３の調心精度によって精密に位置決め調心して突き合わせ接続された状態が維持される。
【００３５】
図１０、図１３において、符号３９は、内蔵光ファイバ３８と裸光ファイバ２０１ａとを突き合わせ接続した接続点を示す。
光ファイバ２０１の被覆部分は、溝３２５ａ、３２５ｂ内にクランプ固定され、クランプ部３２からの光ファイバ２０１の引き抜きが規制される。これにより、光ファイバ２０１に作用する引っ張り力等の外力が、裸光ファイバ２０１ａと内蔵光ファイバ３８との突き合わせ状態に影響を与えることを防止できる。
【００３６】
図１０に示すように、光コネクタ３０のハウジング３３（プラグハウジング）は、筒状のストップリング３３１と、このストップリング３３１の前端部に外嵌めして装着された筒状のプラグフレーム３３２と、ストップリング３３１内に設けられた付勢手段３３３とを備えている。
付勢手段３３３は、クランプ部３２を介してフェルール３１を前方へ付勢するようになっている。付勢手段３３３としてはコイルスプリングが好適であり、付勢手段３３３はクランプ部３２の後端と、ストップリング３３１との間に圧縮状態で配置される。
ストップリング３３１とプラグフレーム３３２とは、クランプ部付きフェルール３７を収納する内ハウジングを構成する。
【００３７】
内ハウジングに収納されたクランプ部付きフェルール３７は、フェルール３１が、プラグフレーム３３２の前後方向中央部にて内側に周設されたストッパ用突壁３３２ｂの内側のフェルール孔３３２ａに挿入されて、ストッパ用突壁３３２ｂから前側へ突出されている。また、フェルール３１の周囲に突出するフランジ部３１ｂが、前記ストッパ用突壁３３２ｂとストップリング３３１の前端部との間に挟み込まれるようにして保持されている。
また、前記クランプ部付きフェルール３７は、プラグフレーム３３２のストッパ用突壁３３２ｂから後側に突設されたキー（図示略）を、クランプ部付きフェルール３７のフランジ部３１ｂのキー溝３１ｄ（図１１参照）に収納することで、内ハウジングに対する軸回り回転が規制されている。
【００３８】
図１３に示すように、クランプ部付きフェルール３７は、後端の開口部３２５ｃが、ストップリング３３１後端の光ファイバ挿入孔３３１ａに連通する位置で内ハウジングに収納される。このため、光コネクタ３０の後端側から光ファイバ挿入孔３３１ａを介してクランプ部３２に光ファイバ２０１を挿入することができる。
【００３９】
成端用光コネクタ３０としては、いわゆるＳＣ２形光コネクタ（光コネクタプラグ）が使用できる。ＳＣ２形光コネクタは、ＳＣ形光コネクタ（例えばＪＩＳ  Ｃ  ５９７３に制定されるＦ０４形光コネクタ。ＳＣ：Single fiber Coupling optical fiber connector）からツマミ（カップリング）（図示略）を外した構成である。また、ルーセントテクノロジー社が開発したものとして知られる、いわゆるＬＣ形光コネクタを採用することもできる。
また、プラグフレームとして、レセプタクル等の受け光コネクタ用のハウジングも採用可能である。
【００４０】
図１０に示すように、可動受け片３５は細長板状の部材である。
この可動受け片３５は、ストップリング３３１の後端部の後端ブロック部３３１ｄを前後に貫通する案内孔３３４に挿入されており、案内孔３３４によって案内されて光コネクタ３０の前後方向に沿ってスライド移動できる。
この可動受け片３５は、光コネクタ３０の前後方向に沿ったスライド移動によって、コネクタ本体３４から後側への突出長が可変になっている。
【００４１】
図１０および図１４に示すように、引留部品３は、光ファイバ２０１を成端用光コネクタ３０に引き留めるものであって、光コネクタ３０に取り付け可能とされている。
引留部品３は、台座部３ｂに前後に貫通して形成された可動受け片収納孔３ｍに可動受け片３５を収納して、可動受け片３５に差し込んだ状態で、可動受け片３５に案内されながら、該可動受け片３５の長手方向に沿ってスライド移動できる。
【００４２】
図１４に示すように、引留部品３は、引留部品本体３ａと、引留部品本体３ａに回動自在に設けられた側壁部３ｅとを備えており、断面矩形状に形成されている。
引留部品本体３ａは、プレート状の台座部３ｂと、台座部３ｂの側縁から立設された側壁部３ｃと、側壁部３ｃの上端から台座部３ｂに平行に延びる天壁部３ｄとからなる断面コ字形とされている。側壁部３ｅは、天壁部３ｄの延出先端に回動自在に設けられている。
図１０および図１４に示すように、台座部３ｂと天壁部３ｄには、光ファイバ２の被覆先端が当接するストッパ用突起３ｇ、３ｇが形成されている。
台座部３ｂと天壁部３ｄには、それぞれ複数の固定用爪３ｆが形成され、固定用爪３ｆが光ファイバ２の被覆に当接することによって光ファイバ２が固定されるようになっている。
【００４３】
図１４に示すように、光ファイバ２として、扁平な形状の光ファイバケーブルを用いる場合には、この光ファイバケーブルは、断面長手方向が引留部品３の台座部３ｂに沿う姿勢とするのが好ましい。
図１に示す例では、コネクタ収納ケース５は、紙面に垂直な方向の回動軸（図示略）をもって回動するため、前記光ファイバケーブルを上記姿勢とするとコネクタ収納ケース５が回動する際に、この光ファイバケーブルは厚さ方向に曲げられることになる。
したがって、断面長手方向に曲げられる場合に比べ、光ファイバケーブルに無理な力が加えられることがなく、接続などの作業が容易となる。
【００４４】
図１５（ａ）、図１５（ｂ）に示すように、コネクタ本体３４の後側へ引き出した可動受け片３５に差し込んだ引留部品３を、コネクタ本体３４に向けて押し込んでいくと、引留部品３が、可動受け片３５の長手方向中央部に突設されている引留部品当接突起３５ａに当接する。可動受け片３５をコネクタ本体３４の後側へ引き出したとき、引留部品当接突起３５ａは、コネクタ本体３４から後側に離隔した位置に配置される。
引留部品３の押し込みを継続することで、引留部品３が引留部品当接突起３５ａを押圧して、可動受け片３５を案内孔３３４に押し込みつつ、コネクタ本体３４に接近していく。
引留部品当接突起３５ａが、ストップリング３３１後端（具体的には、後端ブロック部３３１ｄ）に後側から当接することで、引留部品３のストップリング３３１に対するそれ以上の押し込みが規制され、押し込み限界位置となる（図１０、図１５（ｃ）参照）。
この際、光ファイバ２０１には、撓み部２０１ｂが形成されるのが好ましい。
【００４５】
図１、図１０、図１５に示すように、引き留めカバー３６は、ストップリング３３１後端の後端ブロック部３３１ｄに枢着されており、後端ブロック部３３１ｄを中心とする回転によって、コネクタ本体３４後側に突出する可動受け片３５上を開閉する（以下、図１０、図１５において、上側を「上」、下側を「下」として説明する）。つまり、可動受け片３５上に被せた位置（閉位置）と、この閉位置から上方に回転して可動受け片３５に対して開いた位置（可動受け片３５に対して垂直に立てた状態。開位置）とを、回転によって切り替えることができる。
【００４６】
図１０に示すように、引き留めカバー３６は、細長板状の天板３６ａの両側に、天板３６ａの長手方向に沿って側板３６ｂが突設された断面コ字形に形成されている。
引き留めカバー３６は、長手方向一端部の両側板３６ｂに開口された軸孔３６ｃに、後端ブロック部３３１ｄの両側に突設された枢軸３３１ｅが嵌め込まれて、枢軸３３１ｅを中心として、光コネクタ３０のコネクタ本体３４の前後方向に直交する軸線回り（可動受け片３５を横切る向きの軸線回り）に回転できるようになっている。
【００４７】
図１５（ｄ）、図１５（ｅ）に示すように、可動受け片３５に差し込んだ引留部品３を押し込み限界位置に設置した状態で、開位置にあった引き留めカバー３６を可動受け片３５上に被せるように閉じると、引き留めカバー３６内に引留部品３を収納できる。
可動受け片３５上に被せるように閉じた引き留めカバー３６は、天板３６ａが引留部品３上に当接され、両側板３６ｂが引留部品３の両側に当接される。
引き留めカバー３６を閉じて引留部品３を収納すると、該引き留めカバー３６の長手方向他端部、すなわち、枢軸３３１ｅから最も遠い端部の内面側に突設されている引留用突起３６ｄが、引留部品３の後端側に配置される。
この引留用突起３６ｄは、引留部品３が当接されることで、引留部品３の光コネクタ３０の後側への移動を規制するストッパとして機能する。このため、引留部品３を収納した引き留めカバー３６は、引留部品３を引き留めて、光コネクタ３０後側への離脱を規制する引き留め手段として機能する。
【００４８】
図１５（ｅ）に示すように、引き留めカバー３６が閉じた状態では、側板３６ｂに形成された嵌合用窓３６ｅに、引留部品３の側壁部３ｃ、３ｅの外面に形成された嵌合用突爪３ｈが嵌合することで、光ファイバ２は引留部品３内にガタつかずに保持される（図１０、図１４参照）。
【００４９】
図１０に示すように、介挿部材付き工具４０は、介挿部材４１を、光コネクタ３０のコネクタ本体３４のハウジング３３の側部に開口する介挿部材挿通孔３３６に通され、クランプ部付きフェルール３７のクランプ部３２の一対の素子３１ｃ、３２１間に割り込ませてある。
介挿部材付き工具４０は、介挿部材４１の先端部がクランプ部３２のバネ３２２の弾性によって一対の素子３１ｃ、３２１間に挟み込まれることで、光コネクタ３０のコネクタ本体３４に組み付けられる。
介挿部材挿通孔３３６は、ストップリング３３１の側面に窓状に形成された孔３３１ｆ（介挿部材挿通孔）と、プラグフレーム３３２の側面に窓状に形成された孔３３２ｃを含む。
【００５０】
図１に示すように、成端用光コネクタ３０は、光コネクタアダプタ１７に接続されている。
光コネクタアダプタ１７は、両端から光コネクタを挿入することでこれら光コネクタを互いに接続することができるようになっている。
光コネクタアダプタ１７の一端側接続部１７ａには成端用光コネクタ３０が接続され、他端側接続部１７ｂには、光ファイバ１３の先端に設けられた光コネクタ１８が接続され、これによって光コネクタ３０と光コネクタ１８とが接続されるようになっている。
光コネクタアダプタ１７は、コネクタ収納ケース５内に収納可能とされ、他端側接続部１７ｂが挿入口１６ａに近接して配置されており、挿入口１６ａを通して光コネクタ１８を他端側接続部１７ｂに接続できるようになっている。
【００５１】
光コンセント２０は、コネクタ収納ケース５が取付ベース８に回動可能に取り付けられているため、必要に応じて、下端部が取付ベース８から離れる方向に回動させることによって、コネクタ収納ケース５を前方回動位置（図７を参照）に配置することができる。
この前方回動位置では、光ファイバ１３も壁４から離れた位置に配置されるため、光コンセント２０の下方に十分な作業スペースを確保し、光ファイバ配線や壁紙貼りなどの作業を容易にすることができる。
【００５２】
光コンセント２０では、コネクタ収納ケース５が光ファイバ通過口１０ｅを覆うように設けられているため、壁４の前面側からは光ファイバ２が見えなくなる。このため、美観の点でも優れている。また、コネクタ収納ケース５が壁４の前面側に位置するため、光ファイバ収納部６内にスペースが確保され、十分な長さの余長２ａを収納できる点でも好ましい。
【００５３】
また、コネクタ収納ケース５が回動自在であるため、コネクタ収納ケース５を前方回動位置に配置した状態で、光コネクタ１８を成端用光コネクタ３０に接続することができる。このため、接続作業が容易となる。
また、現場付け光コネクタである成端用光コネクタ３０を用いるので、現場における設置作業が容易である。
【００５４】
次に、本発明の光コンセントの第２の実施形態を説明する。
図１６は、本発明に係る光コンセントの第２の実施形態の外観を示す図であって、（ａ）は上面図、（ｂ）は正面図、（ｃ）は下面図、（ｄ）は一部断面状態の側面図である。図１７は、メタル線接続用のチップ５１を示す斜視図である。図１８は、図１６に示す光コンセントを示す断面図である。
上述のように、取付枠７に対するケースホルダ１０の取付け位置は、変更可能である。
ここに示す光コンセント５０は、ケースホルダ１０が、取付枠７の第２および第３取付部７ｃ、７ｄに取り付けられている点で、図１に示す光コンセント２０と異なる。
取付枠７の第１取付部７ｂには、電話線などのメタル線接続用のチップ５１を取り付けることができる。チップ５１の接続部５１ｂには、メタル線５１ａが接続可能である。符号５１ｃは、接続部５１ｂを開閉可能に覆うカバーである。
【００５５】
光コンセント２０、５０では、光ファイバ通過口７ａ、１０ｅを有する取付ベース８を備えているので、光ファイバ通過口７ａ、１０ｅを通して、光ファイバ２をコネクタ収納ケース５に直接導入することができる。
このため、光ファイバが第１カバー部材を経由して第２カバー部材に導入される従来品に比べ、光ファイバ配線の省スペース化が可能となり、他の配線のためのスペースを確保でき、例えば電話線などのメタル線５１ａが併用可能となる。
光コンセント２０、５０では、取付ベース８に対するケースホルダ１０の取り付け位置を変更可能であるので、ケースホルダ１０の位置の調整によって、電話線などのメタル線５１ａ用のスペースを確保できる。
また、図１８に示すように、コネクタ収納ケース５を前方に回動させることによって、ドライバなどの工具５２を用いた取り付け作業等が容易となる。
図示例では、コネクタ収納ケース５は、一端部を支点とした回動により下端部が取付ベース８に対し接近および離間する方向に移動するが、コネクタ収納ケース５の支点の位置は端部に限定されない。また、回動方向についても、成端用光コネクタに接続される光ファイバを移動させることができる方向であれば図示例に限定されない。
【図面の簡単な説明】
【００５６】
【図１】本発明に係る光コンセントの第１の実施形態の構造の概要を示す断面図である。
【図２】図１に示す光コンセントの外観を示す図であって、（ａ）は上面図、（ｂ）は正面図、（ｃ）は下面図、（ｄ）は一部断面状態の側面図である。
【図３】図１に示す光コンセントのコネクタ収納ケースのカバーを外した状態を示す正面図である。
【図４】図１に示す光コンセントの取付枠および取付ベースを示す正面図である。
【図５】図１に示す光コンセントのケースホルダを示す斜視図である。
【図６】図１に示す光コンセントに用いられるブランクチップを示す斜視図である。
【図７】図１に示す光コンセントのコネクタ収納ケースを回動させた状態を示す側面図である。
【図８】インドアケーブルの一例を示す断面図である。
【図９】ドロップケーブルの一例を示す断面図である。
【図１０】図１に示す光コンセントの成端用光コネクタを示す断面図である。
【図１１】図１に示す光コンセントの成端用光コネクタのクランプ部付きフェルールを示す斜視図である。
【図１２】図１０に示す成端用光コネクタのクランプ部付きフェルールのクランプ部を構成する各素子の合わせ面を示す図である。
【図１３】図１０に示す成端用光コネクタのクランプ部付きフェルールを示す断面図である。
【図１４】図１０に示す成端用光コネクタに取り付けられる引留部品の構造を示す断面図である。
【図１５】成端用光コネクタへの引留部品の組み込み、引き留め作業を説明する工程図である。
【図１６】本発明に係る光コンセントの第２の実施形態の外観を示す図であって、（ａ）は上面図、（ｂ）は正面図、（ｃ）は下面図、（ｄ）は一部断面状態の側面図である。
【図１７】図１６に示す光コンセントに用いられるメタル線接続用のチップを示す斜視図である。
【図１８】図１６に示す光コンセントを示す断面図である。
【符号の説明】
【００５７】
１・・・取付ユニット、２・・・光ファイバ、３・・・引留部品、５・・・コネクタ収納ケース、６・・・光ファイバ収納部、７・・・取付枠、７ａ、１０ｅ・・・光ファイバ通過口、８・・・取付ベース、１０・・・ケースホルダ、１７・・・光コネクタアダプタ、１８・・・光コネクタ（別の光コネクタ）、３０・・・成端用光コネクタ、３１・・・フェルール、３２・・・クランプ部（接続機構）、５１・・・メタル線接続用のチップ、５１ａ・・・メタル線。
【図１】
2008281751.tif 000003
【図２】
2008281751.tif 000004
【図３】
2008281751.tif 000005
【図４】
2008281751.tif 000006
【図５】
2008281751.tif 000007
【図６】
2008281751.tif 000008
【図７】
2008281751.tif 000009
【図８】
2008281751.tif 000010
【図９】
2008281751.tif 000011
【図１０】
2008281751.tif 000012
【図１１】
2008281751.tif 000013
【図１２】
2008281751.tif 000014
【図１３】
2008281751.tif 000015
【図１４】
2008281751.tif 000016
【図１５】
2008281751.tif 000017
【図１６】
2008281751.tif 000018
【図１７】
2008281751.tif 000019
【図１８】
2008281751.tif 000020